(57)【要約】    【課題】  跳ね上げ式の電子ビューファインダにおいて、外光の影響を受けることなくモニタに画像をはっきりと表示させることができる撮像装置を提供する。    【解決手段】  ビデオカメラ１００は、レンズ１０１からの光学像を光電変換して電気映像信号を出力する撮像部１０２と、映像を確認するためのビューファインダ１０６と、ビデオカメラ１００全体の制御を行うシステム制御回路１０９とを備える。ビューファインダ１０６は、撮影映像や再生映像を表示するモニタ２０６と、跳ね上げ部２０２の跳ね上げを検出する跳ね上げ検出器２０４ａ，２０４ｂとを備え、跳ね上げ部２０２が跳ね上げられたときは、モニタ表示切換スイッチをＯＮにしてモニタ２０６の明るさを強くし、跳ね上げ部２０２が跳ね上げられないときは、モニタ表示切換スイッチをＯＦＦにしてモニタ２０６の明るさを標準状態にする。【選択図】      図３
2006033192.tif 000002
【特許請求の範囲】
【請求項１】
映像を表示する映像表示部を有する本体と、前記本体に移動自在に取り付けられ、接眼部を有する移動部とを有する電子ビューファインダを備える撮像装置において、前記移動部が前記本体から離れる方向に移動されたことを検知する検知手段と、前記検知手段の結果に応じて前記映像表示部を制御する制御手段とを備えることを特徴とする撮像装置。
【請求項２】
前記移動部は、前記本体に跳ね上げ自在に取り付けられていることを特徴とする請求項１記載の撮像装置。
【請求項３】
前記制御手段は、前記検知手段の結果に応じて前記映像表示部の明るさを制御することを特徴とする請求項２記載の撮像装置。
【請求項４】
外部の明るさを測定する測光手段を備え、前記制御手段は、前記測光手段によって測定された外部の明るさに応じて前記映像表示部の明るさを制御することを特徴とする請求項２又は３記載の撮像装置。
【請求項５】
前記映像表示部の明るさを設定する設定手段を備えることを特徴とする請求項２乃至４のいずれか１項に記載の撮像装置。
【請求項６】
前記設定手段は、第１の明るさと、前記第１の明るさよりも弱い第２の明るさとを設定し、前記制御手段は、前記映像表示部の明るさを、前記移動部が跳ね上げられたときは、前記第１の明るさに制御し、前記移動部が跳ね上げられないときは、前記第２の明るさに制御することを特徴とする請求項５記載の撮像装置。
【請求項７】
前記制御手段は、前記移動部が跳ね上げられたか否かに関わらず、前記映像表示部の明るさを、前記設定された明るさに制御することを特徴とする請求項５記載の撮像装置。
【請求項８】
前記撮像装置が備える電源の電圧を検出する電圧検出手段を備え、前記制御手段は、前記検出された電圧が所定の電圧以下になったときは前記映像表示部の明るさを前記第２の明るさに制御することを特徴とする請求項６又は７記載の撮像装置。
【請求項９】
前記制御手段は、前記映像表示部の明るさを前記第１の明るさに制御した後、一定時間の経過してから、前記映像表示部の明るさを前記第２の明るさに制御することを特徴とする請求項６乃至８のいずれか１項に記載の撮像装置。
【発明の詳細な説明】
【技術分野】
【０００１】
本発明は、撮像装置に関し、特に、電子ビューファインダを有する撮像装置に関する。
【背景技術】
【０００２】
従来の撮像装置のビューファインダは、撮影者がビューファインダに接眼しているかどうかを検出し、ビューファインダが備えるモニタの明るさを変化させる（例えば、特許文献１参照）。
【特許文献１】特開平９−１１３８１７
【発明の開示】
【発明が解決しようとする課題】
【０００３】
しかしながら、上記方式では、撮影者は、モニタの明るさを変えるときにわざわざ接眼する必要がある上、モニタの映像は、外光により非常に見づらい。また、その他の従来のビューファインダのうち跳ね上げ式は、跳ね上げに連動してモニタの明るさを変化させることはできない。
【０００４】
本発明の目的は、跳ね上げ式の電子ビューファインダにおいて、外光の影響を受けることなくモニタに画像をはっきりと表示させることができる撮像装置を提供することにある。
【課題を解決するための手段】
【０００５】
上記目的を達成するために、請求項１記載の撮像装置は、映像を表示する映像表示部を有する本体と、前記本体に移動自在に取り付けられ、接眼部を有する移動部とを有する電子ビューファインダを備える撮像装置において、前記移動部が前記本体から離れる方向に移動されたことを検知する検知手段と、前記検知手段の結果に応じて前記映像表示部を制御する制御手段とを備えることを特徴とする。
【０００６】
請求項２記載の撮像装置は、請求項１記載の撮像装置において、前記移動部は、前記本体に跳ね上げ自在に取り付けられていることを特徴とする。
【０００７】
請求項３記載の撮像装置は、請求項２記載の撮像装置において、前記制御手段は、前記検知手段の結果に応じて前記映像表示部の明るさを制御することを特徴とする。
【０００８】
請求項４記載の撮像装置は、請求項２又は３に記載の撮像装置において、外部の明るさを測定する測光手段を備え、前記制御手段は、前記測光手段によって測定された外部の明るさに応じて前記映像表示部の明るさを制御することを特徴とする。
【０００９】
請求項５記載の撮像装置は、請求項２乃至４のいずれか１項に記載の撮像装置において、前記映像表示部の明るさを設定する設定手段を備えることを特徴とする。
【００１０】
請求項６記載の撮像装置は、請求項５記載の撮像装置において、前記設定手段は、第１の明るさと、前記第１の明るさよりも弱い第２の明るさとを設定し、前記制御手段は、前記映像表示部の明るさを、前記移動部が跳ね上げられたときは、前記第１の明るさに制御し、前記移動部が跳ね上げられないときは、前記第２の明るさに制御することを特徴とする。
【００１１】
請求項７記載の撮像装置は、請求項５記載の撮像装置において、前記制御手段は、前記移動部が跳ね上げられたか否かに関わらず、前記映像表示部の明るさを、前記設定された明るさに制御することを特徴とする。
【００１２】
請求項８記載の撮像装置は、請求項２乃至７のいずれか１項に記載の撮像装置において、前記撮像装置が備える電源の電圧を検出する電圧検出手段を備え、前記制御手段は、前記検出された電圧が所定の電圧以下になったときは前記映像表示部の明るさを前記第２の明るさに制御することを特徴とする。
【００１３】
請求項９記載の撮像装置は、請求項２乃至８のいずれか１項に記載の撮像装置において、前記制御手段は、前記映像表示部の明るさを前記第１の明るさに制御した後、一定時間の経過してから、前記映像表示部の明るさを前記第２の明るさに制御することを特徴とする。
【発明の効果】
【００１４】
請求項１記載の撮像装置によれば、検知手段の結果に応じて映像表示部を制御するので、外光の影響を受けることなくモニタに画像をはっきりと表示させることができる。
【００１５】
請求項２記載の撮像装置によれば、移動部は本体に跳ね上げ自在に取り付けられているので、移動部を簡単に移動させることができる。
【００１６】
請求項３記載の撮像装置によれば、検知手段の結果に応じて映像表示部の明るさを制御するので、外光の影響を受けることなくモニタに画像を確実にはっきりと表示させることができる。
【００１７】
請求項４記載の撮像装置によれば、測光手段の結果に応じて映像表示部の明るさを制御するので、周囲の明るさの影響を受けることなく映像表示部の表示を確認することができる。
【００１８】
請求項５記載の撮像装置によれば、映像表示部の明るさを設定するので、映像表示部を任意の明るさに制御することができる。
【００１９】
請求項６記載の撮像装置によれば、映像表示部の明るさを、移動部が跳ね上げられたときは第１の明るさに制御し、移動部が跳ね上げられないときは第２の明るさに制御するので、移動部の状態に応じて映像表示部の明るさを任意に設定することができる。
【００２０】
請求項７記載の撮像装置によれば、移動部が跳ね上げられたか否かに関わらず、映像表示部の明るさを設定された明るさに制御するので、映像表示部の明るさを常に一定に保つことができる。
【００２１】
請求項８記載の撮像装置によれば、電圧が所定の電圧以下になったときは映像表示部の明るさを第２の明るさに制御するので、電圧が下がったときに消費電力を抑えることができる。
【００２２】
請求項９記載の撮像装置によれば、映像表示部の明るさを第１の明るさに制御した後、一定時間経過してから、映像表示部の明るさを第２の明るさに制御するので、電力の浪費を抑えることができる。
【発明を実施するための最良の形態】
【００２３】
以下、本発明の実施の形態を図面を用いて詳述する。
【００２４】
図１は、本発明の実施の形態に係る撮像装置の構成を概略的に示すブロック図である。
【００２５】
図１において、撮像装置としてのビデオカメラ１００は、映像を入力するためのレンズ１０１と、レンズ１０１からの光学像を光電変換して電気映像信号を出力する撮像素子からなる撮像部１０２と、撮像部１０２から出力される画像信号を処理するための信号処理部１０３と、信号処理部１０３により処理された映像信号を後述するモニタ１０５、ビューファインダ１０６、ＶＴＲ部１０７、及びメモリーカード部１０８に送出するシステムのインタフェース１０４と、撮像部１０２、信号処理部１０３、及びインタフェース１０４に接続され、ビデオカメラ１００全体の制御を行うシステム制御回路１０９と、システム制御回路１０９に接続され、ビデオカメラ１００本体電源を制御する電源スイッチ１１０と、システム制御回路１０９に接続され、ビデオカメラ１００の機能を発揮させる操作スイッチ１１１とを備える。
【００２６】
ビデオカメラ１００は、さらに、撮影映像及び再生映像を表示するモニタ１０５と、映像を確認するための跳ね上げ式のビューファインダ１０６と、テープへ画像を記録するＶＴＲ部１０７と、メモリーＩＣへ画像を記録するためのメモリーカード部１０８とを備える。
【００２７】
図２は、図１におけるビューファインダ１０６の斜視図であり、（ａ）は、撮影者が接眼して撮影を行う状態、（ｂ）は、撮影者が接眼することなく撮影映像を確認する状態を示している。
【００２８】
図２において、ビューファインダ１０６は、ビデオカメラ１００本体に設けられた本体部２０３と、ヒンジ２０５を介して本体部２０３に取り付けられた跳ね上げ部２０２（移動部）と、撮影者による接眼によって跳ね上げ部２０２を支持するアイカップ２０１とを備える。
【００２９】
ビューファインダ１０６は、さらに、本体部２０３の端面に、撮影映像や再生映像を表示するモニタ（映像表示部）と、跳ね上げ部２０２の跳ね上げを検出する跳ね上げ検出器２０４ａ，２０４ｂ（検知手段）とを備える。
【００３０】
跳ね上げ検出器２０４ａ，２０４ｂは、ビューファインダ１０６の跳ね上げ部２０２が跳ね上げられるときに（図２（ａ））、跳ね上げ部２０２が本体部２０３から離れることにより跳ね上げ部２０２の跳ね上げを検出すると共に、モニタ２０６の明るさを調節するモニタ表示切換スイッチ（不図示）（制御手段）をＯＮにしてモニタ２０６の明るさを強くする。一方、跳ね上げ検出器２０４ａ，２０４ｂは、跳ね上げ部２０２が元に戻されるときに（図２（ｂ））、跳ね上げ部２０２が本体部２０３と接するにより跳ね上げ部２０２が元の状態に戻ったことを検出すると共に、モニタ２０６の明るさを調節するモニタ表示切換スイッチをＯＦＦにしてモニタ２０６の明るさを標準状態にする。
【００３１】
図３は、図２のビューファインダ１０６によって実行されるモニタ表示制御処理を示すフローチャートである。
【００３２】
図３において、ビューファインダ１０６の跳ね上げ部２０２が跳ね上げられたか否かを判別し（ステップＳ３０１）、跳ね上げ部２０２が跳ね上げられたときは（図２（ｂ））、モニタ表示切換スイッチをＯＮにしてモニタ２０６の明るさを強くして（ステップＳ３０３）、本処理を終了し、跳ね上げ部２０２が跳ね上げられないときは（図２（ａ））、モニタ表示切換スイッチをＯＦＦにしてモニタ２０６の明るさを標準状態にして（ステップＳ３０２）、本処理を終了する。
【００３３】
図３の処理によれば、跳ね上げ部２０２が跳ね上げられたときは（ステップＳ３０１でＹＥＳ）、モニタ表示切換スイッチをＯＮにしてモニタ２０６の明るさを強くし（ステップＳ３０３）、跳ね上げ部２０２が跳ね上げられないときは（ステップＳ３０１でＮＯ）、モニタ表示切換スイッチをＯＦＦにしてモニタ２０６の明るさを標準状態にする（ステップＳ３０２）ので、跳ね上げ部２０２を跳ね上げたときでも外光によって見えづらくなることを防ぐことができる。
【００３４】
また、本実施の形態では、跳ね上げ部２０２の跳ね上げの検出及びモニタ表示制御をメカ的に行っているが、ホール素子等を用いることによって電気的に行ってもよい。
【００３５】
図４は、図３のモニタ表示制御処理の第１の変形例の手順を示すフローチャートである。
【００３６】
本変形例におけるビデオカメラ１００は、周囲が所定の明るさよりも明るいか否かを検知する、例えばビデオカメラ１００本体の表面に設けられた測光センサ（測光手段）を備える。
【００３７】
図４において、跳ね上げ部２０２が跳ね上げられたか否かを判別し（ステップＳ４０１）、跳ね上げ部２０２が跳ね上げられないときは、モニタ表示切換スイッチをＯＦＦにしてモニタ２０６の明るさを標準状態にして（ステップＳ４０２）、本処理を終了し、跳ね上げ部２０２が跳ね上げられたときは、周囲が明るいか否かを判別し（ステップＳ４０３）、周囲が明るいときはモニタ表示切換スイッチをＯＮにしてモニタ２０６の明るさを強くして（ステップＳ４０４）、本処理を終了し、周囲が明るくなく薄暗いときは、モニタ表示切換スイッチをＯＮにすると共に、測光センサの測光結果に基づき、モニタ２０６の明るさをより見やすい明るさにして（ステップＳ４０５）、本処理を終了する。
【００３８】
図４の処理によれば、周囲が明るくなく薄暗いときは、モニタ表示切換スイッチをＯＮにすると共に、測光センサの測光結果に基づき、モニタ２０６の明るさをより見やすい明るさにする（ステップＳ４０５）ので、周囲の明るさの影響を受けることなくモニタ２０６の表示を確認することができる。
【００３９】
図５は、図３のモニタ表示制御処理の第２の変形例の手順を示すフローチャートである。
【００４０】
図５において、プリセットとして予め設定されたモニタ表示切換スイッチがＯＮ及びＯＦＦの状態におけるモニタ２０６の明るさを反映させるか否かを判別し（ステップＳ５０１）、プリセットを反映させないときは、図３又は図４の処理を実行し、プリセットを反映させるときは、跳ね上げ部２０２が跳ね上げられるか否かを判別し（ステップＳ５０２）、跳ね上げ部２０２が跳ね上げられたときは（図２（ｂ））、モニタ表示切換スイッチをＯＮにすると共にモニタ２０６を予め設定された明るさにして（ステップＳ５０４）、本処理を終了し、跳ね上げ部２０２が跳ね上げられないときは（図２（ａ））、モニタ表示切換スイッチをＯＦＦにしてモニタ２０６の明るさを標準状態にして（ステップＳ５０３）、本処理を終了する。
【００４１】
図５の処理によれば、プリセットを利用し（ステップＳ５０２）、跳ね上げ部２０２が跳ね上げられたときは（ステップＳ５０２でＹＥＳ）、モニタ表示切換スイッチをＯＮにすると共にモニタ２０６を予め設定された明るさにする（ステップＳ５０４）ので、モニタ２０６の明るさを任意に設定することができる。
【００４２】
上記実施の形態において、跳ね上げ部２０２を跳ね上げてもモニタ２０６の明るさを変化させたくないときは、モニタ表示切換スイッチがＯＮになっても、モニタ２０６の明るさを変化させないようにしてもよい。
【００４３】
さらに、ビデオカメラ１００の電源の電圧を検出し（電圧検出手段）、上記電圧が所定の電圧よりも低いときは、モニタ切換スイッチがＯＮになってもモニタ２０６の明るさを変化させないようにしてもよい。
【００４４】
加えて、モニタ２０６を明るくした後、一定時間経過後にモニタ表示切換スイッチをＯＦＦにしてモニタ２０６の明るさを標準状態にしてもよい。
【図面の簡単な説明】
【００４５】
【図１】本発明の実施の形態に係る撮像装置の構成を概略的に示すブロック図である。
【図２】図１におけるビューファインダの斜視図であり、（ａ）は、撮影者が接眼して撮影を行う状態、（ｂ）は、撮影者が接眼することなく撮影映像を確認する状態を示している。
【図３】図２のビューファインダによって実行されるモニタ表示制御処理を示すフローチャートである。
【図４】図３のモニタ表示制御処理の第１の変形例の手順を示すフローチャートである。
【図５】図３のモニタ表示制御処理の第２の変形例の手順を示すフローチャートである。
【符号の説明】
【００４６】
１００  ビデオカメラ
１０１  レンズ
１０２  撮像部
１０３  信号処理部
１０４  インタフェース
１０６  ビューファインダ
１０９  システム制御回路
１１０  電源スイッチ
１１１  操作スイッチ
２０１  アイカップ
２０２  跳ね上げ部
２０３  本体部
２０４ａ，２０４ｂ  跳ね上げ検出器
２０５  ヒンジ
２０６  モニタ
【図１】
2006033192.tif 000003
【図２】
2006033192.tif 000004
【図３】
2006033192.tif 000005
【図４】
2006033192.tif 000006
【図５】
2006033192.tif 000007